(57)【要約】【課題】待機状態においてノズル筒が邪魔にならず、吐出容器の見栄えの悪化を防ぐだけではなく、優れた操作性を有する吐出容器を提供すること。【解決手段】容器本体２と、上方付勢状態で下方移動可能に立設されたステム２６、及び、先端に吐出孔４３Ａが形成されると共に前後移動可能に配設されたノズル筒４３を有する吐出ヘッド２３を備えており、口部１４に装着された吐出器３と、吐出ヘッド２３に対して下方移動可能に配設された操作ヘッド７１を有し、吐出ヘッド２３を収容すると共にノズル筒４３が前後移動に伴って出没する第１通過孔７６Ａが形成された外容器４と、を備え、操作ヘッド７１が、吐出ヘッド２３に対する下降移動に伴ってノズル筒４３に摺接してノズル筒４３を前方に移動させる操作部７７と、吐出ヘッド２３を押下する天壁部７５と、を有し、吐出ヘッド２３が、前方に移動したノズル筒４３を後方へ復元移動させる第１付勢部材４５を有する。【選択図】図２
2015143114.tif 000002
【特許請求の範囲】
【請求項１】
内容物が収容される容器本体と、
上方付勢状態で前記容器本体に向けて下方移動可能に立設されたステム、及び、径方向外側に向けて延在して先端に内容物が吐出される吐出孔が形成されると共に前後移動可能に配設されたノズル筒を有する吐出ヘッドを備えており、前記容器本体の口部に装着された吐出器と、
前記吐出ヘッドの上方において前記吐出ヘッドに対して下方移動可能に配設された操作ヘッドを有し、前記吐出ヘッドを収容すると共に前記ノズル筒が前後移動に伴って出没する通過孔が形成された外容器と、を備え、
前記操作ヘッドが、当該操作ヘッドの前記吐出ヘッドに対する下降移動に伴って前記ノズル筒に摺接して前記ノズル筒を前方に移動させる操作部と、前記吐出ヘッドを押下する押下部と、を有し、
前記吐出ヘッドが、前方に移動した前記ノズル筒を後方へ復元移動させる付勢部材を有することを特徴とする吐出容器。
【請求項２】
前記操作ヘッドを前記吐出ヘッドに対して上方に復元移動させる第２付勢部材を備えることを特徴とする請求項１に記載の吐出容器。
【発明の詳細な説明】
【技術分野】
【０００１】
本発明は、吐出容器に関するものである。
【背景技術】
【０００２】
この種の吐出容器としては、前方に向けて延在すると共に前後移動可能に配設されたノズル筒を有する吐出ヘッドと、吐出ヘッドを囲み、吐出ヘッドの前後動に伴ってノズル筒が出没する通過孔が形成されたカバー体と、を備えるものが提案されている（例えば、特許文献１参照）。
このような構成の吐出容器では、内容物を吐出する前の待機状態において、ノズル筒をカバー体の内側に収容しているので、ノズル筒が邪魔にならないばかりでなく、吐出容器の外観の悪化を防ぐことができる。
【先行技術文献】
【特許文献】
【０００３】
【特許文献１】実用新案登録第２５３９１８１号公報
【発明の概要】
【発明が解決しようとする課題】
【０００４】
しかしながら、上記従来の吐出容器では、内容物を吐出させるために、吐出ヘッドをカバー体に対して前進移動させる操作と、吐出ヘッドを押下する操作と、の双方を行う必要がある。また、内容物を吐出させた後にも、カバー体の内側にノズル筒を収容するために、吐出ヘッドをカバー体に対して手動で後退させる必要がある。そのため、操作性を向上させることに改善の余地があった。
【０００５】
本発明は、前述の課題に鑑みてなされたもので、待機状態においてノズル筒が邪魔にならず、吐出容器の見栄えの悪化を防ぐだけではなく、優れた操作性を有する吐出容器を提供することを目的とする。
【課題を解決するための手段】
【０００６】
本発明は、上記のような課題を解決するために以下のような手段を採用した。すなわち、本発明の吐出容器は、内容物が収容される容器本体と、上方付勢状態で前記容器本体に向けて下方移動可能に立設されたステム、及び、径方向外側に向けて延在して先端に内容物が吐出される吐出孔が形成されると共に前後移動可能に配設されたノズル筒を有する吐出ヘッドを備えており、前記容器本体の口部に装着された吐出器と、前記吐出ヘッドの上方において前記吐出ヘッドに対して下方移動可能に配設された操作ヘッドを有し、前記吐出ヘッドを収容すると共に前記ノズル筒が前後移動に伴って出没する通過孔が形成された外容器と、を備え、前記操作ヘッドが、当該操作ヘッドの前記吐出ヘッドに対する下降移動に伴って前記ノズル筒に摺接して前記ノズル筒を前方に移動させる操作部と、前記吐出ヘッドを押下する押下部と、を有し、
前記吐出ヘッドが、前方に移動した前記ノズル筒を後方へ復元移動させる付勢部材を有することを特徴とする。
【０００７】
この発明では、操作ヘッドを吐出ヘッドに対して押し下げると、操作部がノズル筒を前進させてノズル筒を外容器の通過孔から突出させ、さらに操作ヘッドを吐出ヘッドに対して押し下げると、押下部が吐出ヘッドを押し下げて内容物が吐出孔から吐出される。このように、操作ヘッドを吐出ヘッドに対して押し下げる動作によってノズル筒を通過孔から突出させると共に、吐出ヘッドをステムに対して押し下げて内容物をノズル筒の吐出孔から吐出させることができるので、吐出容器の機構を単純化することができる。
また、操作ヘッドの押し下げ状態を解除すると、付勢部材によってノズル筒が後方に復元移動されて通過孔から後退すると共に、この復元移動に伴って操作ヘッドが上昇する。これにより、ノズル筒を後退移動させる必要がなくなり、操作性が向上する。
【０００８】
また、本発明の吐出容器は、前記操作ヘッドを前記吐出ヘッドに対して上方に復元移動させる第２付勢部材を備えてもよい。
この発明では、操作ヘッドの押し下げ状態を解除したときに、操作ヘッドを上方に向けてより確実に復元移動させることができる。
【発明の効果】
【０００９】
この発明にかかる吐出容器によれば、内容物を吐出した後にノズル筒を手動で後退移動させる必要がないので、操作性が向上する。また、ノズル筒を通過孔から突出させる動作とノズル筒から内容物を吐出させる動作とを操作ヘッドを押し下げる動作によって連続的に行えるので、吐出容器の機構を単純化することができる。
【図面の簡単な説明】
【００１０】
【図１】本発明の一実施形態にかかる吐出容器を示す部分断面図である。
【図２】図１の吐出容器を示す軸方向断面図である。
【図３】図１の吐出容器を示すＡ−Ａ矢視断面図である。
【図４】図１の吐出容器の使用状態を説明する軸方向断面図である。
【図５】同じく、図１の吐出容器の使用状態を説明する軸方向断面図である。
【発明を実施するための形態】
【００１１】
以下、本発明による吐出容器の一実施形態を、図面に基づいて説明する。なお、以下の説明に用いる各図面では、各部材を認識可能な大きさとするために縮尺を適宜変更している。
【００１２】
本実施形態における吐出容器１は、図１及び図２に示すように、内容物が収容される有底円筒状の容器本体２と、容器本体２に装着され、内容物を吐出させる吐出器３と、吐出器３を外側から囲む有頂円筒状の外容器４と、を備える。
これら容器本体２及び外容器４は、それぞれの中心軸線を共通軸上に位置した状態で配設されている。以下、この共通軸を容器軸Ｏと称し、図１において容器軸Ｏに沿って容器本体２に対する吐出器３側を上側、その反対側を下側とし、この容器軸Ｏから見た平面視で容器軸Ｏに直交する方向を径方向、容器軸Ｏ回りで周回する方向を周方向と称する。また、径方向に延在している後述するノズル筒４３の先端側を前側、その反対側を後側とし、平面視において前後方向に直交する方向を左右方向と称する。
【００１３】
容器本体２は、図１に示すように、内容物が収容される円筒状の胴部１１と、胴部１１の下端部の内側に嵌合された有底円筒状の底部１２と、胴部１１の内周面に上下摺動可能に嵌合された中皿１３と、を有する。
胴部１１の上端部には、図２に示すように、吐出器３が装着される口部１４が形成されている。また、胴部１１の下端部の外径は、図１に示すように、胴部１１の上下方向の中央部分よりも縮径しており、胴部１１のうちこの縮径した部分の上方には、前方に向けて突出する案内リブ部１１Ａが設けられている。
【００１４】
吐出器３は、図２及び図３に示すように、上方付勢状態で下方移動可能に起立した後述する円筒状のステム２６を有する円筒状のポンプ本体２１と、ポンプ本体２１を容器本体２の口部１４に装着させる円筒状の装着キャップ２２と、ポンプ本体２１に装着された吐出ヘッド２３と、を備える。
【００１５】
ポンプ本体２１は、円筒状のシリンダ２５と、シリンダ２５に対して上方付勢状態で下方移動可能に立設された円筒状のステム２６と、を備える。これらシリンダ２５及びステム２６は、それぞれの中心軸線を容器軸Ｏ上に位置した状態で配設されている。なお、ポンプ本体２１は、公知のポンプ機構であるので、その詳細な説明を省略する。また、ポンプ本体２１としては、種々のポンプ機構を採用できる。
【００１６】
装着キャップ２２は、ポンプ本体２１のシリンダ２５が装着され、上面視で円状の装着筒部３１と、装着筒部３１の外周縁から上下方向に延在し、下端部が容器本体２の口部１４に着脱自在に螺着される円筒状の内周部３２と、内周部３２よりも径方向外側に配設された円筒状の外周部３３と、内周部３２及び外周部３３の上端同士を接続する上面視で円環板状の接続板部３４と、を有する。これら装着筒部３１、内周部３２、外周部３３及び接続板部３４は、それぞれの中心軸線を容器軸Ｏ上に位置した状態で配設されている。
【００１７】
内周部３２の前側部分における上側部分には、前方に向けて陥没し、内周部３２の上端から装着筒部３１との接続部分まで上下方向に延在する案内溝部３２Ａが形成されている。
外周部３３の前側部分には、前方に向けて突出する案内突部３３Ａが設けられている。また、外周部３３の下端は、全周にわたって径方向外側に向けて突出している。案内溝部３２Ａ及び案内突部３３Ａは、それぞれ１つ以上設けられており、複数設ける場合は、周方向に等間隔で配置することが好ましい。
【００１８】
吐出ヘッド２３は、ステム２６の上端に装着されたヘッド本体４１と、ヘッド本体４１内に収容され、ステム２６から流入した内容物が流動する流路４２Ａが形成された栓筒体４２と、栓筒体４２に前後摺動可能に外装され、前端に吐出孔４３Ａが形成されたノズル筒４３と、ヘッド本体４１内に収容された介装筒４４と、ノズル筒４３を後方に向けて付勢する第１付勢部材（付勢部材）４５と、を備える。
【００１９】
ヘッド本体４１は、ステム２６の上端部に装着された円筒状の内筒部５１と、内筒部５１よりも径方向外側に配設された円筒状の外筒部５２と、内筒部５１と外筒部５２を繋ぎ、外筒部５２よりも前方に向けて延在する円筒状の横筒部５３と、を有する。これら内筒部５１及び外筒部５２は、それぞれの中心軸線を容器軸Ｏ上に位置した状態で配設されている。
【００２０】
内筒部５１の上側部分は、上方から見た径方向の断面視において前方に開口するＵ字状をなしており、この開口を通して内筒部５１の内側と横筒部５３の内側とが連通している。なお、内筒部５１の上端は、閉塞され、上方に向けては開口していない。
外筒部５２の前側部分には、前方に向けて突出する案内リブ部５２Ａが形成されている。この案内リブ部５２Ａは、装着キャップ２２の案内溝部３２Ａに収容されており、装着キャップ２２に対するヘッド本体４１の上下移動を案内すると共に、装着キャップ２２に対して吐出ヘッド２３が周方向に回転することを規制する。なお、案内リブ部５２Ａを複数設けても良い。
【００２１】
横筒部５３は、前後方向に延在する円筒状をなしており、横筒部５３の中心軸が容器軸Ｏと交差するように配設されている。横筒部５３の後端には、内筒部５１に連結され、横筒部５３の後端開口を閉塞する後壁が設けられている。横筒部５３の後壁には、後方に向けて延在する一対の案内板部５４が設けられている。案内板部５４は、内筒部５１を挟む左右両側に配設されている。案内板部５４は、前後方向から見た上下方向の断面視においてＬ字状をなしており、案内板部５４の下端部は、左右方向で向かい合う他方の案内板部５４に向けて突出している。
また、ヘッド本体４１の上端には、上方に向けて突出する環状突出部４１Ａが円状となるように容器軸Ｏを中心して周方向に間欠的に配設されている。
【００２２】
栓筒体４２は、下端部が内筒部５１内に嵌合され、上下方向に延在する円筒状の直筒部５５と、直筒部５５の上端部から前方に向けて延在し、前端が閉塞された円筒状の前後筒部５６と、を有する。
直筒部５５は、その中心軸線を容器軸Ｏ上に位置した状態で配設されている。
前後筒部５６は、その中心軸線を横筒部５３の中心軸上に位置した状態で配設されている。前後筒部５６には、ノズル筒４３が前後摺動可能に装着されており、ノズル筒４３の吐出孔４３Ａを後方から閉塞する。また、前後筒部５６の前端部には、複数の流通孔５６Ａが前後筒部５６の中心軸回りで周回する方向に沿って間隔をあけて形成されている。さらに、前後筒部５６のうち流通孔５６Ａよりも後方の部分には、外側に向けて突出し、ノズル筒４３の後述するノズル筒本体６１の内周面に当接する係止突出部５６Ｂが全周にわたって設けられている。
【００２３】
ノズル筒４３は、前後方向に延在する円筒状のノズル筒本体６１と、ノズル筒本体６１の後方に配設された上面視でＵ字状の操作体６２と、を有する。
ノズル筒本体６１は、その中心軸線を横筒部５３の中心軸線上に位置した状態で配設されており、ノズル筒本体６１の内側は、流通孔５６Ａを通して流路４２Ａと連通している。また、ノズル筒本体６１の前後方向の中央部には、前後方向から見てノズル筒本体６１の中心軸に対して直交する方向に突出するフランジ部６３がノズル筒本体６１の全周にわたって設けられている。フランジ部６３の外周縁部は、介装筒４４の内周面に摺接している。
【００２４】
また、ノズル筒本体６１の前端部における内径および外径は、前方に向かうにしたがって漸次縮径しており、ノズル筒本体６１の前端部は、外容器４の後述する操作ヘッド７１を押下していない待機状態において、栓筒体４２によって後方から閉塞されている。同様に、ノズル筒本体６１の後端部における内径および外径も、後方に向かうにしたがって漸次縮径しており、ノズル筒本体６１の後端部は、栓筒体４２の前後筒部５６の外周面に摺接している。
【００２５】
操作体６２は、前後方向に延在する一対の操作板部６５と、操作板部６５の後端同士を接続する摺接板部６６と、を有する。
操作板部６５は、上面視において栓筒体４２を左右方向で挟む両側にかつ横筒部５３に設けられた一対の案内板部５４間に配設されており、横筒部５３の後壁に形成された一対のスリットを通して横筒部５３内に挿入されている。そして、操作板部６５の前端は、ノズル筒本体６１のフランジ部６３の後面に当接している。操作板部６５は、横筒部５３の中心軸線回りで周回する方向に沿って弧状に湾曲しており、案内板部５４によって下方から支持されている。
摺接板部６６は、上下両端部が操作板部６５よりも上下方向に突出しており、後方に向かうにしたがって下方に向けて傾斜している。
【００２６】
介装筒４４は、前後方向に延在する円筒状をなしており、その中心軸線を横筒部５３の中心軸線上に位置した状態で横筒部５３の内側に嵌合されている。介装筒４４の前端には、全周にわたって介装筒４４の中心軸線に向けて突出する環状フランジ部が設けられており、この環状フランジ部の内端縁は、後方に向けて折り返されている。
第１付勢部材４５は、コイルスプリングであり、介装筒４４の内側において介装筒４４の前端における上記環状フランジ部とノズル筒本体６１のフランジ部６３との間に配設されている。
【００２７】
外容器４は、吐出ヘッド２３を外側から囲む有頂円筒状の操作ヘッド７１と、容器本体２及び操作ヘッド７１を囲む円筒状の収容体７２と、を備える。これら操作ヘッド７１及び収容体７２は、それぞれの中心軸線を容器軸Ｏ上に位置した状態で配設されている。
操作ヘッド７１は、上面視で円板状の天壁部（押下部）７５と、天壁部７５の外周縁から下方に向けて延在する円筒状の周壁部７６と、天壁部７５から下方に向けて突設された板状の操作部７７と、を有する。
【００２８】
天壁部７５には、周壁部７６よりも径方向内側において、上面視で円環状の環状突出部７５Ａが下方に向けて突設されており、この環状突出部７５Ａの径方向内側には、操作ヘッド７１を吐出ヘッド２３に対して上方に付勢するコイルスプリングである第２付勢部材７８の上端部が配設されている。第２付勢部材７８の下端部は、環状突出部４１Ａの径方向内側に配設されている。なお、環状突出部７５Ａは、上面視で環状突出部４１Ａと重なる位置に設けられており、上下方向で環状突出部４１Ａと向かい合っている。
【００２９】
周壁部７６の前側部分には、ノズル筒４３の前後移動に伴ってノズル筒本体６１の前端部を周壁部７６に対して出没させるための第１通過孔（通過孔）７６Ａが形成されている。また、周壁部７６の前側部分における下端部の内周面には、装着キャップ２２の外周部３３の案内突部３３Ａを収容する案内溝部７６Ｂが形成されている。案内溝部７６Ｂは、１つ以上設けられており、複数設ける場合は周方向に等間隔で配置することが好ましい。これにより、装着キャップ２２に対する操作ヘッド７１の上下移動を案内すると共に、操作ヘッド７１が装着キャップ２２に対して容器軸Ｏ回りに回転することを規制する。また、ノズル筒本体６１が後退している待機状態において、案内突部３３Ａは、案内溝部７６Ｂの下端に係止されており、操作ヘッド７１が装着キャップ２２に対して上方に移動することを規制する。
操作部７７は、吐出ヘッド２３の待機状態において、操作体６２の摺接板部６６の上端部の上方に位置している。操作部７７には、操作部７７と周壁部７６の後端部分との間を接続し、左右方向に間隔をあけて配設された一対の補強リブ部７７Ａが後方に向けて突設されている。
【００３０】
収容体７２の下端部は、図１に示すように、容器本体２の底部１２に螺着されている。また、収容体７２の下端部の内周面には、容器本体２の胴部１１の案内リブ部１１Ａが収容される案内溝部７２Ａが形成されている。これにより、収容体７２が容器本体２に対して周方向に回転することが防止される。
収容体７２の上端部は、図１及び図２に示すように、収容体７２の上端縁が前後方向の中央部から後方に向かうにしたがって下方に向けて湾曲するように切り欠かれている。これにより、操作ヘッド７１の上端部の後側部分が収容体７２から外部に露出している。また、収容体７２の前側部分には、ノズル筒４３の前後移動に伴ってノズル筒本体６１の前端部を収容体７２に対して出没させるための第２通過孔（通過孔）７２Ｂが形成されている。
【００３１】
次に、以上のような構成の吐出容器１を用いた内容物の吐出方法につい説明する。まず、第２付勢部材７８の付勢力に抗して、例えば天壁部７５など、操作ヘッド７１のうち収容体７２から露出している部分を吐出ヘッド２３に対して押し下げる。操作ヘッド７１を押し下げていくと、操作ヘッド７１の操作部７７は、操作体６２の摺接板部６６に当接する。この状態で操作ヘッド７１をさらに押し下げると、操作部７７が摺接板部６６に摺接しながら下方に向けて移動する。操作部７７が摺接板部６６に摺接しているので、操作体６２は、操作部７７が下降するにしたがって、第１付勢部材４５の後方への付勢力に抗して案内板部５４に沿って前方に向けて移動し、ノズル筒本体６１を前進させる。そのため、ノズル筒本体６１は、図４に示すように、介装筒４４の内周面に摺接しながら、かつ栓筒体４２の前後筒部５６の外周面に摺接しながら前進し、ノズル筒本体６１の前端部は、操作ヘッド７１の第１通過孔７６Ａ及び収容体７２の第２通過孔７２Ｂを通って前方に突出する。このとき、ノズル筒本体６１の吐出孔４３Ａは、開放される。また、操作ヘッド７１の天壁部７５の環状突出部７５Ａは、ヘッド本体４１の環状突出部４１Ａに当接する。
【００３２】
ノズル筒本体６１の前端部を第１通過孔７６Ａから突出させた状態で操作ヘッド７１をさらに押し下げていくと、操作ヘッド７１の天壁部７５がヘッド本体４１に当接しているので、吐出ヘッド２３は、ステム２６の上方付勢力に抗して、図５に示すように、操作ヘッド７１と共に降下する。このとき、案内突部３３Ａは、案内溝部７６Ｂの上端に係止されるまたは案内溝部７６Ｂの上端に近接する。
これにより、容器本体２内に収容されている内容物は、ポンプ本体２１のポンプ機構によって、内筒部５１内に流入し、流路４２Ａ内に移送される。そして、流路４２Ａ内の内容物は、流通孔５６Ａを通ってノズル筒本体６１内に流入し、吐出孔４３Ａから外部に吐出される。なお、内容物が外部に吐出されて内容物が減少すると、容器本体２の内圧が減少するので、中皿１３が胴部１１内で上昇する。
【００３３】
次に、操作ヘッド７１を押し下げている指などを離し、操作ヘッド７１による押下げ状態を解除すると、上方付勢されているステム２６が上昇し、ステム２６と共に吐出ヘッド２３及び操作ヘッド７１が上昇する。また、ノズル筒本体６１は、第１付勢部材４５の後方への付勢力によって、収容体７２の第２通過孔７２Ｂ及び操作ヘッド７１の第１通過孔７６Ａから後退して操作ヘッド７１内に収容される。そして、ノズル筒本体６１の吐出孔４３Ａは、栓筒体４２によって閉塞される。
さらに、ノズル筒本体６１が後退するにしたがって、操作体６２も後退し、摺接板部６６に摺接している操作部７７が上昇する。これにより、操作ヘッド７１は、ステム２６の上昇移動に加えてさらに上昇する。なお、第２付勢部材７８が操作ヘッド７１を吐出ヘッド２３に対して上方に付勢しているので、操作ヘッド７１を吐出ヘッド２３に対してより確実に上昇させることができる。
以上のようにして、吐出容器１の内容物を外部に吐出する。
【００３４】
本実施形態における吐出容器１によれば、内容物を吐出した後にノズル筒４３を別途後方に移動させる必要がないので、吐出容器１の操作性が向上する。また、操作ヘッド７１を容器本体２に対して押し下げるだけで、ノズル筒本体６１の突出動作と内容物の吐出とが行えるので、吐出容器１の構造を単純化できる。
さらに、第２付勢部材７８が操作ヘッド７１を吐出ヘッド２３に対して上方に向けて付勢するので、操作ヘッド７１の押し下げ状態を解除したときに操作ヘッド７１を上方に向けてより確実に復元移動させる。
【００３５】
なお、本発明は上記実施形態に限定されるものではなく、本発明の趣旨を逸脱しない範囲において種々の変更を加えることができる。
例えば、吐出容器には操作ヘッドを吐出ヘッドに対して上方に付勢するための第２付勢部材が設けられているが、少なくとも第１付勢部材が設けられていればよく、第２付勢部材を配設しない構成であってもよい。
第１付勢部材は、介装筒の内側において介装筒の前端とノズル筒本体のフランジ部との間に配設されているが、ノズル筒を後方へ復元移動させることができればよく、フランジ部よりも後方に配設されてもよい。第２付勢部材についても同様である。また、第１及び第２付勢部材は、コイルスプリングで形成されているが、他の弾性部材を用いて形成されてもよい。
外容器は、操作ヘッド及び収容体を備えているが、収容体を備えていなくてもよい。また、操作ヘッドは、押下ヘッドを囲むと共に通過孔が形成された構成となっているが、押下ヘッドを囲まずに通過孔が形成されていない構成であってもよい。この場合、収容体が操作ヘッドと共に吐出器を収容しており、収容体には通過孔が形成されている。
吐出器は、ポンプ機構を有するポンプ本体を有しているが、上方に向けて付勢されたステムが設けられていればよく、エアゾールタイプの吐出器であってもよい。
ノズル筒は、ノズル筒本体と操作体とを有しているが、ノズル筒をヘッド本体に取り付けることができれば、両者を一体化した構造としてもよい。
装着キャップは、口部に対して螺着されているが、口部に嵌合するなど、他の方法で装着されてもよい。
容器本体は、内容物の減少に伴って胴部内を上方に向けて摺動する中皿を有しているが、中皿を有する構成に限られない。
操作ヘッドの天壁部が吐出ヘッドを押し下げているが、操作ヘッドに押下部として別の部材を設けてこれにより吐出ヘッドを押し下げてもよい。
【産業上の利用可能性】
【００３６】
この発明によれば、待機状態においてノズル筒が邪魔にならず、吐出容器の見栄えの悪化を防ぐだけではなく、優れた操作性を有する吐出容器に関して、産業上の利用可能性が認められる。
【符号の説明】
【００３７】
１  吐出容器、２  容器本体、３  吐出器、４  外容器、１４  口部、２３  吐出ヘッド、２６  ステム、４３  ノズル筒、４３Ａ  吐出孔、４５  第１付勢部材（付勢部材）、７１  操作ヘッド、７２Ｂ  第２通過孔（通過孔）、７５  天壁部（押下部）、７６Ａ  第１通過孔（通過孔）、７７  操作部、７８  第２付勢部材
【図１】
2015143114.tif 000003
【図２】
2015143114.tif 000004
【図３】
2015143114.tif 000005
【図４】
2015143114.tif 000006
【図５】
2015143114.tif 000007